(57)【特許請求の範囲】
【請求項１】
複合型空気調和設備であって、
冷暖房空調機である第一空調装置と、
空気浄化機であり、前記第一空調装置に連通する第二空調装置と、
全熱交換器であり、前記第二空調装置と並列に接続されて前記第一空調装置に連通する第三空調装置と、を含み、
前記第二空調装置によって浄化された清浄空気は、前記第一空調装置へ送られて冷暖房空調が行われることにより、前記第一空調装置から排気される空気の空気質を向上させ、
外部の新鮮空気は、前記第二空調装置の吸気ポートによって取り込まれ、取り込まれた新鮮空気は、前記第二空調装置によって浄化された後、前記第二空調装置の排気ポート及び前記第一空調装置の吸気ポートを経て前記第一空調装置に送られ、
外部の新鮮空気は、前記第三空調装置の吸気ポートによって取り込まれ、取り込まれた新鮮空気は、前記第三空調装置によって温度及び／又は湿度を調節された後、前記第三空調装置の排気ポート及び前記第一空調装置の吸気ポートを経て前記第一空調装置に送られることを特徴とする複合型空気調和設備。
【請求項２】
前記第一空調装置は、第一搬送風力を有し、
前記第二空調装置は、第二搬送風力を有し、
前記第二空調装置は、前記浄化された清浄空気を前記第二搬送風力によって前記第一空調装置に送り、
前記第一空調装置は、前記第二搬送風力からのアシスト力によって前記第一搬送風力の出力を低下させることを特徴とする請求項１に記載の複合型空気調和設備。
【請求項３】
前記第一空調装置は、蒸発器を有し、
前記第一空調装置は、前記蒸発器の表面に形成された水分に空気中の物質を付着させることで、前記物質の濃度を低下させて前記第一空調装置へ送られた空気を浄化することを特徴とする請求項１に記載の複合型空気調和設備。
【請求項４】
前記第一空調装置は、蒸発器及び加湿器を有し、
前記第一空調装置は、前記第二空調装置から送られた清浄空気を前記蒸発器及び／又は前記加湿器によって加湿することを特徴とする請求項１に記載の複合型空気調和設備。
【請求項５】
前記第一空調装置は、前記第二空調装置から送られた清浄空気を前記蒸発器によって加温することを特徴とする請求項４に記載の複合型空気調和設備。
【請求項６】
前記第三空調装置は、前記第一空調装置の動作によって温度及び／又は湿度を別途に調節可能であり、
前記第三空調装置は、温度及び／又は湿度を調節された空気を前記第一空調装置に送り、
前記第一空調装置は、前記温度及び／又は湿度を調節された空気に対して冷暖房空調を行うことを特徴とする請求項１に記載の複合型空気調和設備。
【請求項７】
前記第一空調装置は、蒸発器及び加湿器を有し、
前記第一空調装置は、前記第三空調装置から送られた、温度及び／又は湿度を調節された空気を前記蒸発器及び／又は前記加湿器によって加湿することを特徴とする請求項６に記載の複合型空気調和設備。
【請求項８】
前記第一空調装置は、蒸発器及び加湿器を有し、
前記第一空調装置は、前記第三空調装置から送られた、温度及び／又は湿度を調節された空気を前記蒸発器によって加温することを特徴とする請求項６に記載の複合型空気調和設備。
【請求項９】
前記第三空調装置は、二酸化炭素含有量の低い新鮮空気を室外から取り込み、
前記第三空調装置は、取り込まれた前記新鮮空気を前記第一空調装置に送り、
前記第一空調装置は、前記新鮮空気の温度及び／又は湿度を再度調節することを特徴とする請求項６に記載の複合型空気調和設備。
【請求項１０】
前記第一空調装置は、蒸発器を有し、
前記第一空調装置は、前記蒸発器の表面に形成された水分に空気中の物質を付着させることで、前記物質の濃度を低下させて前記第一空調装置へ送られた空気を浄化することを特徴とする請求項６に記載の複合型空気調和設備。
【請求項１１】
前記第三空調装置は、予冷や予熱を行うことが可能であるとともに、予冷、予熱された空気を前記第一空調装置に送り、
前記第一空調装置は、前記予冷、予熱された空気に対して冷暖房空調を行うことで、エネルギー消費を削減することを特徴とする請求項１に記載の複合型空気調和設備。
【請求項１２】
設備筺体をさらに含み、
前記第一空調装置、前記第二空調装置及び前記第三空調装置は、前記設備筺体内に設置されることを特徴とする請求項１に記載の複合型空気調和設備。
【発明の詳細な説明】
【技術分野】
【０００１】
本発明は、空気調和設備に関し、特に冷暖房空調機を主とする複合型空気調和設備に関する。
【背景技術】
【０００２】
現在、空気調和機としては、冷暖房空調機（ＡＣ）、空気浄化機（ＣＬＲ）及び全熱交換器（ＥＲＶ）等が存在している。冷暖房空調機は、空気の温度を調節する機能を有する。空気浄化機は、空気を浄化する機能を有する。また、全熱交換器は、他の空気調和機の動作に応じて温度及び／又は湿度を調節する機能を有する。
【発明の概要】
【発明が解決しようとする課題】
【０００３】
しかしながら、上記の各種の空気調和機は、いずれも単一機能の空気調和機によって独立して動作するため、独立した機能しか果たさない。これにより、エネルギー消費及びスペース消耗の新たな問題が発生する。さらに、各種の空気質（例えば、温度、湿度及び二酸化炭素の濃度等）は個別に調節されることしかできないため、均等になることもできない。
【０００４】
そこで、上記欠点を改善可能な装置を如何にして設計するかということは、本発明の発明者の研究課題となっている。
【課題を解決するための手段】
【０００５】
本発明は、上記課題を鑑みなされたものであり、第二空調装置（空気浄化機または全熱交換器であってもよい）を第一空調装置（すなわち、冷暖房空調機）に連通することで、第一空調装置から最終的に排気される空気の空気質を向上可能な複合型空気調和設備の提供を目的とする。
【０００６】
上記課題を解決するために、本発明に係る複合型空気調和設備は、冷暖房空調機である第一空調装置と、空気浄化機であり、前記第一空調装置に連通する第二空調装置と、全熱交換器であり、前記第二空調装置と並列に接続されて前記第一空調装置に連通する第三空調装置と、を含む。前記第二空調装置によって浄化された清浄空気は、前記第一空調装置へ送られて冷暖房空調が行われる。これにより、前記第一空調装置から排気される空気の空気質を向上させることができる。外部の新鮮空気は、前記第二空調装置の吸気ポートによって取り込まれ、取り込まれた新鮮空気は、前記第二空調装置によって浄化された後、前記第二空調装置の排気ポート及び前記第一空調装置の吸気ポートを経て前記第一空調装置に送られる。外部の新鮮空気は、前記第三空調装置の吸気ポートによって取り込まれ、取り込まれた新鮮空気は、前記第三空調装置によって温度及び／又は湿度を調節された後、前記第三空調装置の排気ポート及び前記第一空調装置の吸気ポートを経て前記第一空調装置に送られる。
【発明の効果】
【０００７】
従来技術と比べて、本発明に係る複合型空気調和設備は、第一空調装置から最終的に排気される空気の空気質を向上させ、各種の空気質を均等にすることができる。
【図面の簡単な説明】
【０００８】
【図１】本発明の第一実施形態に係る複合型空気調和設備を示す平面模式図である。
【図２】本発明の第二実施形態に係る複合型空気調和設備を示す平面模式図である。
【図３】本発明の第三実施形態に係る複合型空気調和設備を示す平面模式図である。
【図４】本発明の第四実施形態に係る複合型空気調和設備を示す平面模式図である。
【発明を実施するための形態】
【０００９】
以下、本発明の技術内容及び詳細な説明について、図面を参照しつつ説明する。ただし、図面は、参照および説明用に過ぎず、決して本発明を限定するものではない。
【００１０】
本発明に係る複合型空気調和設備は、冷暖房空調機を主として、少なくとも１つの他の空調装置に連通することで、排気される空気の空気質を向上させ、エネルギー消費を削減し、スペースの無駄を低減し、各種の空気質（例えば、温度や湿度、二酸化炭素の濃度等）を均等にする。図１乃至図４は、本発明の第一実施形態乃至第四実施形態に係る複合型空気調和設備を示す平面模式図である。
【００１１】
図１は、本発明の第一実施形態に係る複合型空気調和設備を示す平面模式図である。本実施形態に係る複合型空気調和設備は、第一空調装置及び第二空調装置を含む。なお、第一空調装置は、冷暖房空調機１（冷房機または冷暖房機ともいえる）である。第二空調装置は、空気浄化機２（空気清浄機ともいえる）である。
【００１２】
空気浄化機２は、冷暖房空調機１に連通する。すなわち、空気浄化機２の排気ポート２２は、冷暖房空調機１の吸気ポート１１に連通する。こうすることで、外部の新鮮空気は、空気浄化機２によって浄化される。浄化された清浄空気は、冷暖房空調機１へ送られて冷暖房空調が行われる。詳細には、外部の新鮮空気は、空気浄化機２の吸気ポート２１によって取り込まれる。取り込まれた新鮮空気は空気浄化機２によって浄化された後、空気浄化機２の排気ポート２２及び冷暖房空調機１の吸気ポート１１を経て冷暖房空調機１に送られる。このように、空気浄化機２からの清浄空気は、冷暖房空調機１によって冷気または暖気に変換されて排気ポート１２から排気される。
【００１３】
冷暖房空調機１は、第一搬送風力１５を有する。空気浄化機２は、第二搬送風力２５を有する。空気浄化機２の吸気ポート２１、排気ポート２２と冷暖房空調機１の吸気ポート１１、排気ポート１２とが互いに直列に連通することにより、空気浄化機２は、浄化された清浄空気を第二搬送風力２５によって冷暖房空調機１に送ることができる。さらに、冷暖房空調機１は、第二搬送風力２５からのアシスト力によって第一搬送風力１５の出力を低下させることもできる。言い換えれば、同じ揚程（本発明に係る複合型空気調和設備から排気される空気が到達する最も遠い距離）の場合には、第二搬送風力２５が第一搬送風力１５をアシストすることができるため、冷暖房空調機１が第一搬送風力１５の出力を低下させることができる。当然ながら、空気浄化機２は、第二搬送風力２５の出力を低下させることもできる。消費電力の多い搬送風力（１５、２５）を選択して、その出力を低下させることで、エネルギー消費を削減することができる。
【００１４】
冷暖房空調機１及び空気浄化機２を連通させて複合型空気調和設備として一体化することにより、以下のメリットを有する。
１．冷暖房空調機１に送られた空気は、空気浄化機２によって浄化された清浄空気である。そのため、空気浄化機２によって空気中の物質の濃度が低下し、冷暖房空調機１が清浄空気中に長時間に動作することができる。こうすることで、冷暖房空調機１の濾材の使用を抑制して、コスト削減の効果を奏する。なお、その空気中の物質としては、総揮発性有機化合物（ＴＶＯＣ）、ホルマリンや浮遊微粒子等であってもよい。
２．また、冷暖房空調機１は、蒸発器１６及び加湿器１７をさらに有してもよい。蒸発器１６は、温度調節機能及び湿度調節機能を有する。加湿器１７は、湿度調節機能を有する。そのため、冷暖房空調機１は、空気浄化機２から送られた清浄空気の温度及び／又は湿度を蒸発器１６及び／又は加湿器１７によって再度調節する。その詳細については、以下に説明する。
（１）冷暖房空調機１は、空気浄化機２から送られた清浄空気を蒸発器１６及び／又は加湿器１７によって加湿することができる。こうすることで、最終的に排気される空気の湿度を増加させることができる。
（２）冷暖房空調機１は、空気浄化機２から送られた清浄空気を蒸発器１６によって加温することができる。こうすることで、最終的に排気される空気の温度を昇温させることができる。
当然ながら、本発明に係る複合型空気調和機によれば、最終的に排気される空気の温度を昇温させると同時に、湿度を増加させることができる。
３．冷暖房空調機１では、蒸発器１６の表面に形成された水分に空気中の物質を付着させることで、二次空気濾過（すなわち、二次空気浄化）を行って物質の空気中の濃度を低下させることができる。これにより、冷暖房空調機１へ送られた空気をより一層浄化し、最終的に排気される空気の空気質を向上させることができる。
【００１５】
図２は、本発明の第二実施形態に係る複合型空気調和設備を示す平面模式図である。本実施形態は、第二空調装置が第一実施形態の空気浄化機２ではない点以外、第一実施形態とほぼ同様である。
【００１６】
本実施形態に係る複合型空気調和設備は、第一空調装置及び第二空調装置を含む。なお、第一空調装置は、冷暖房空調機１である。一方、第二空調装置は、全熱交換器３に換えられている。
【００１７】
全熱交換器３は、冷暖房空調機１の動作によって温度及び／又は湿度を別途に調節することができる。そのため、全熱交換器３は、温度及び／又は湿度を調節された空気を冷暖房空調機１に送って冷暖房空調を行う。
【００１８】
全熱交換器３は、冷暖房空調機１に連通する。すなわち、全熱交換器３の排気ポート３２は、冷暖房空調機１の吸気ポート１１に連通する。こうすることで、外部の新鮮空気は、全熱交換器３によって先に調節される。その後、調節された空気は、冷暖房空調機１に送られて冷暖房空調が行われる。詳細には、外部の新鮮空気は、全熱交換器３の吸気ポート３１から取り込まれる。取り込まれた新鮮空気は、全熱交換器３によって温度及び／又は湿度を調節された後、全熱交換器３の排気ポート３２及び冷暖房空調機１の吸気ポート１１を経て冷暖房空調機１へ送られる。これにより、全熱交換器３からの、温度及び／又は湿度を調節された空気は、冷気または暖気に変換されて排気ポート１２から排気される。
【００１９】
冷暖房空調機１及び全熱交換器３を連通させて複合型空気調和設備として一体化することにより、以下のメリットを有する。
１．全熱交換器３は、二酸化炭素含有量の低い外部の新鮮空気を室外から取り込む。さらに、全熱交換器３は、取り込まれた新鮮空気を冷暖房空調機１に送る。冷暖房空調機１は、新鮮空気の温度及び／又は湿度を再度調節する。そのため、空気質を調節する効率や速度などを向上させる効能を持つ。
２．全熱交換器３は、予冷及び予熱を行うことができるとともに、予冷後または予熱後の空気を冷暖房空調機１に送ることができる。そのため、冷暖房空調機１は、予冷後または予熱後の空気に対して、対応する冷暖房空調を行うことができる。言い換えれば、第二実施形態の調節方法では、全熱交換器３によって、冷暖房空調機１へ送られた空気を予冷するか、または予熱して温度調節を行うことができる。そのため、第二実施形態の調節方法では、適切な空気質の空気を生成することができるほか、冷暖房空調機１が最終的に排気される空気に対して対応する温度調節を行う場合にエネルギー消費を削減することができる。
３．また、冷暖房空調機１は、蒸発器１６及び加湿器１７をさらに有してもよい。なお、蒸発器１６は、温度調節機能及び湿度調節機能を有する。加湿器１７は、湿度調節機能を有する。そのため、冷暖房空調機１は、全熱交換器３から送られた調節後の空気を蒸発器１６及び／又は加湿器１７によって別途に再度調節することができる。その詳細については、以下に説明する。
（１）冷暖房空調機１は、全熱交換器３から送られた温度及び／又は湿度を調節された空気を、蒸発器１６及び／又は加湿器１７によって加湿することができる。こうすることで、最終的に排気される空気の湿度を別途に再度調節することができる。
（２）冷暖房空調機１は、全熱交換器３から送られた温度及び／又は湿度を調節された空気を、蒸発器１６によって加温することができる。こうすることで、最終的に排気される空気の温度を別途に再度調節することができる。
当然ながら、本発明に係る複合型空気調和機によれば、最終的に排気される空気の温度及び湿度を同時に再度調節することができる。
４．全熱交換器３は、送られた空気を濾過可能な機能を有する。冷暖房空調機１は、蒸発器１６の表面に形成された水分に空気中の物質を付着させることにより、二次空気濾過（すなわち、二次空気浄化）を行って物質の空気中の濃度を低下させることができる。これにより、冷暖房空調機１へ送られた空気をより一層浄化し、最終的に排気される空気の空気質を向上させることができる。
【００２０】
図３は、本発明の第三実施形態に係る複合型空気調和設備を示す平面模式図である。本実施形態は、第三空調装置をさらに含む点以外、第一実施形態とほぼ同様である。
【００２１】
本実施形態に係る複合型空気調和設備は、第一空調装置、第二空調装置及び第三空調装置を含む。第一空調装置は、冷暖房空調機１である。第二空調装置は、空気浄化機２である。また、第三空調装置は、全熱交換器３である。
【００２２】
本実施形態では、空気浄化機２は、冷暖房空調機１と全熱交換器３との間に連通するとともに、冷暖房空調機１と全熱交換器３と互いに直列に接続する。そのため、外部の新鮮空気は、全熱交換器３の吸気ポート３１から取り込まれる。取り込まれた新鮮空気は、全熱交換器３によって温度及び／又は湿度を調節された後、全熱交換器３の排気ポート３２及び空気浄化機２の吸気ポート２１を経て空気浄化機２へ送られる。空気浄化機２へ送られた、温度及び／又は湿度を調節された空気は、空気浄化機２によって浄化された後、空気浄化機２の排気ポート２２及び冷暖房空調機１の吸気ポート１１を経て冷暖房空調機１へ送られる。こうすることで、温度及び／又は湿度を調節された浄化後の空気は、冷気または暖気に変換されて排気ポート１２から排気される。
【００２３】
冷暖房空調機１、空気浄化機２及び全熱交換器３を直列に連通して一体化することにより、上記の第一実施例及び第二実施例と同じ効果を得ることができる。その詳細については、省略する。
【００２４】
図４は、本発明の第四実施形態に係る複合型空気調和設備を示す平面模式図である。本実施形態は、接続形態が異なる点以外、第三実施形態とほぼ同様である。
【００２５】
本実施形態に係る複合型空気調和設備は、第一空調装置、第二空調装置及び第三空調装置を含む。第一空調装置は、冷暖房空調機１である。第二空調装置は、空気浄化機２である。また、第三空調装置は、全熱交換器３である。
【００２６】
本実施形態では、空気浄化機２及び全熱交換器３は、並列に接続される。空気浄化機２及び全熱交換器３は、ともに冷暖房空調機１に連通する。そのため、冷暖房空調機１の吸気ポート１１、排気ポート１２と、空気浄化機２の吸気ポート２１、排気ポート２２との接続形態及びこの接続形態による効果は、上記の第一実施形態と同様であり、その説明を省略する。また、冷暖房空調機１の吸気ポート１１、排気ポート１２と、全熱交換器３の吸気ポート３１、排気ポート３２との接続形態及びこの接続形態による効果は、上記の第二実施形態と同様であり、その説明を省略する。
【００２７】
なお、上記の第一実施形態乃至第四実施形態では、各実施形態に係る複合型空気調和設備は、設備筺体１００をさらに含んでもよい。第一空調装置（冷暖房空調機１）及び第二空調装置（空気浄化機２または全熱交換器３であってもよい）の２つの装置、または第一空調装置（冷暖房空調機１）、第二空調装置（空気浄化機２）及び第三空調装置（全熱交換器３）の３つの装置は、設備筺体１００内に設置される。本発明は、上記の各空調装置（１、２、３）が互いに連通する限り、設備筺体１００を有することに限定されない。
【００２８】
以上、本発明の好適な実施例を説明したが、本発明はこれらの実施例に限定されるものではない。また、本発明の内容を応用してなされる等価な変更は、すべて本発明の範囲に含まれることはいうまでもない。
【符号の説明】
【００２９】
１００        設備筺体
１            冷暖房空調機
１１          吸気ポート
１２          排気ポート
１５          第一搬送風力
１６          蒸発器
１７          加湿器
２            空気浄化機
２１          吸気ポート
２２          排気ポート
２５          第二搬送風力
３            全熱交換器
３１          吸気ポート
３２          排気ポート
【図１】
0006474163.tif 000002
【図２】
0006474163.tif 000003
【図３】
0006474163.tif 000004
【図４】
0006474163.tif 000005